(57)【要約】【課題】洗浄水が持続的に洗浄ボウルが溢れる現象を防止するための溢れ防止補助水槽を有する洋風便器を提供する。【解決手段】本発明の洋風便器は、内部の水位によって給水を開閉するボールタップを通じて一定量の洗浄水を保有する水タンクと、ボールタップから給水が供給されるリム水路とリム吐出口がリムの内周面に配置され、水タンクとは側面水路によって連結される洗浄ボウルと、水タンク下部の側面水路排出口を開閉する水蓋と、ボールタップと前記リム水路との間に配置され、給水と貯蔵された洗浄水とを合した混合洗浄水をリム水路に供給する噴射ポンプと、水タンク内部で噴射ポンプを内部に装着し、内部から外部に一方向洗浄水流れのみを開放するチェックバルブとを具備し、壁面の高さが水タンク正常水位より高い溢れ防止補助水槽を含む。本発明の洋風便器は、溢れ防止補助水槽を具備し、ワンピース洋風便器に汚物が詰まった場合にも洗浄ボウルの外部に洗浄水が溢れる場合を防止することができる。【選択図】図１３
2010531399.tif 000002
【特許請求の範囲】
【請求項１】
内部の水位によって給水を開閉するボールタップを通じて一定量の洗浄水を保有する水タンクと、
前記ボールタップから給水が供給されるリム水路とリム吐出口がリムの内周面に配置され、前記水タンクとは側面水路によって連結される洗浄ボウルと、
前記水タンク下部の側面水路排出口を開閉する水蓋と、
前記ボールタップと前記リム水路との間に配置され、給水と貯蔵された洗浄水とを合した混合洗浄水をリム水路に供給する噴射ポンプと、
前記水タンクの内部で噴射ポンプを内部に装着し、内部から外部に一方向洗浄水流れのみを開放するチェックバルブとを具備し、壁面の高さが水タンク正常水位より高い溢れ防止補助水槽を含むことを特徴とする洋風便器。
【請求項２】
前記噴射ポンプの噴射ノズルとスロートとの間にはボールが挿入されたボール案内管が所定の長さだけ上に延長され、水位によってボールタップから供給される給水を補助水槽側とリム側に転換することを特徴とする請求項１に記載の洋風便器。
【請求項３】
前記ボールタップには水位によって給水を水タンク側とリム側に転換する転換部が具備されており、前記ボールタップの水タンク側供給管及び水位感知浮具は前記補助水槽内に配置されていることを特徴とする請求項１に記載の洋風便器。
【発明の詳細な説明】
【技術分野】
【０００１】
本発明は溢れ防止水槽を有する洋風便器に係り、より詳細には、ワンピース洋風便器に汚物が詰まる場合に、洗浄水が持続的に洗浄ボウルが溢れる現象を防止するための溢れ防止水槽を有する洋風便器に関する。
【背景技術】
【０００２】
洋風便器は、ボールタップを通じて洗浄水が供給されて貯蔵する水タンクと便器本体からなり、洗浄水は水タンクに設置された操作レバーの作動によって水蓋が開かれるようになれば、便器本体側に排出され、汚物とともに排出される構造からなる。このような洋風便器は、水タンクと便器本体が分離しているツーピース（ｔｗｏ−ｐｉｅｃｅ）洋風便器と水タンクと便器本体が一体で形成され、水タンク正常水位が本体より低いワンピース（ｏｎｅ−ｐｉｅｃｅ）洋風便器として区別されることができ、最近には住宅高級化によって、デザイン側面で高級なワンピース洋風便器である水タンク一体型洋風便器が広く普及されている。
【０００３】
図１は、従来技術に係るワンピース洋風便器を示す平面図であり、図２は、従来技術に係るワンピース洋風便器の洗浄待機前の断面図である。図２は理解の便宜のためにボールタップの設置方向を変えて示す。
【０００４】
図１及び図２を参照すると、便器本体陶器１９は洗浄空間である洗浄ボウル１８と一体で水タンク９が形成されており、水タンク９と洗浄ボウル１８は側面水路２９によって連結される。
【０００５】
このような洋風便器は水タンク９の正常水位ＷＬが洗浄ボウル１８より低くて、洗浄ボウルの壁面を洗浄するためには、水タンク９内に給水管７から給水が供給されて水タンクの水位によって給水の開閉及びリム側または水タンク側に給水を転換する機能を果たすボールタップ１７が配置される。ボールタップ１７にはリム側にリム連結管２１を通じて便器本体のリム水路２２に連結される。水タンク９の下部には側面水路２９を開閉する水蓋１３が配置され、水蓋１３は連結紐１４を通じてハンドレバーリンク１５と連結される。ハンドレバーリンク１５は水タンクの外部のハンドル１２と連結され、使用者の操作によって水蓋１３を開閉する。
【０００６】
洗浄ボウル１８の上部側面にはリム水路２２と連結されるリム吐出口２５が形成されており、下部には汚物を排出する排出口３０が配置される。リム水路２２を通じてリム吐出口２５はボールタップ１７から供給される給水を洗浄ボウルの壁面に吐出する。排出口３０と対向して側面水路２９と連結されるジェット噴射口２７が配置される。ジェット噴射口２７は水タンク９に貯蔵された洗浄水を正常水位ＷＬの落差を利用して汚物を強く押し出し、洗浄ボウル１８に貯蔵された水を吸入して陶器の外に排出させる機能を果たす。このような洋風便器の洗浄方式をジェットサイホン型洋風便器という。
【０００７】
水タンク内の洗浄水が正常水位ＷＬから底水位ＤＬまで設定された量だけ側面水路２９に排出されれば、水蓋１３は閉まり、側面水路２９を遮断する。この際、ボールタップ１７は転換部１６を通じて給水をリム水路側から水タンク側の給水供給管３１に転換して供給し、水タンク９に洗浄水を満たす。洗浄水が設定された正常水位ＷＬだけ満ち上がれば、ボールタップ１７に連結された水位感知浮具３３の作用によってボールタップ１７は給水を遮断し、次の動作を待機する。上述の洋風便器の構造は、特許文献１に開示されており、転換ボールタップは特許文献２に開示されている。
【０００８】
しかし、このようなワンピース洋風便器は、排出トラップとジェット噴射口２７の前面に汚物が詰まる場合に、洗浄水が持続的に洗浄ボウル１８を溢れる現象が発生する問題点があった。
【０００９】
図２乃至図９は、従来技術の一実施形態に係るワンピース洋風便器の溢れ現象を説明する断面図である。
【００１０】
図２を参照すると、汚物が洗浄ボウル１８にある状態で使用者が洗浄作動をする前の断面図である。水タンク９の水位は水タンクに洗浄水が満たされた状態の正常水位ＷＬを維持する。図面符号‘ＤＬ’は底水位として、水タンクの洗浄水が完全に排出されてボールタップ１７でリムと水タンク側に給水転換が行われ、水蓋１３が閉まる水位である。洗浄ボウル１８の水位ＢＷＬは定常状態を維持する。
【００１１】
図３を参照すると、汚物を洗浄するために使用者がハンドル１２を作動させれば、このハンドル１２に連結された水蓋１３が上部に回転し、水タンク９の側面水路２９を開放する。ハンドル１２は元状態に復帰するが、水蓋１３は自体浮力によってオープン状態を維持し、水タンク９に貯蔵された洗浄水は側面水路２９を通じて洗浄ボウル１８のジェット噴射口２７に排出され、汚物及び洗浄ボウルの内部の水は陶器の排出口３０方向に移動する。水タンク９の水位がボールタップの給水開放水位ｈｒまで下降すれば、ボールタップ１７が給水供給を開始し、リム側に給水を供給する。リム連結管２１及びリム水路２２を通じて用水が給水され、リム底部の吐出口２５を通じて用水が噴射され、陶器の洗浄ボウル１８の壁面を洗浄する。サイホン作用によって汚物と共に洗浄水が排出トラップ４２に移り、洗浄ボウルの水位ＢＷＬは低くなり、この際、排出される汚物が排出トラップ４２の内部にかかって詰まる場合が発生することができる。
【００１２】
図４を参照すると、排出トラップ４２が詰まった状態でボールタップ１７でリム側に供給される給水は洗浄ボウル１８に続いて供給され、排出トラップ４２は汚物の詰まりによって少量の排出水のみが排出されるので、洗浄ボウル１８の水位は持続して上昇する。洗浄ボウル１８の水位ＢＷＬが水タンク９の水位ＴＷＬより上昇すれば、洗浄ボウル１８の水がジェット噴射口２７を通じて側面水路２９を経由して水タンク９側に逆流する。この際、排出トラップ４２の詰まりに関与しない自由状態の汚物の一部が逆流流れに沿ってジェット噴射口２７側に移動して、ジェット噴射口２７にかかる現象が発生する。ジェット噴射口２７にかかった汚物によって洗浄ボウルから水タンク側への逆流量は減少する。図面符号‘ｈ’は洗浄ボウルの水位ＢＷＬと水タンクの水位ＴＷＬとの差を示す。
【００１３】
図５を参照すると、洗浄ボウル１８の水位ＢＷＬは続いて上昇する一方、水タンク９の水位ＴＷＬは徐々に上昇する。したがって、洗浄ボウルの水位ＢＷＬは陶器１９の最上端を越して外部に溢れる現象が発生する。一方、ボールタップ１７でリム側への給水はリム水路２２及びリム吐出口２５を通じて続いて吐出され、外部溢れ現象は続く。
【００１４】
図６を参照すると、水タンク９の水位ＴＷＬが徐々に上昇し、正常水位ＷＬに到逹すれば、ボールタップ１７は給水を中断する。ボールタップ１７の給水中断によって溢れ現象も中断され、排出トラップ４２を通じた持続的な少量の排出水によって洗浄ボウルの水位ＢＷＬは徐々に下降する。
【００１５】
図７を参照すると、少量の排出水によって洗浄ボウルの水位ＢＷＬが続いて下降し、水タンクの水位より低くなれば、水タンク内の汚染した洗浄水は徐々に側面水路２９とジェット噴射口２７とを通じて洗浄ボウル１８に流出される。水タンクから流出される洗浄水はジェット噴射口２７にかかった汚物によってその量が少なくて、汚物を押し出すことはできない。水タンクから洗浄水が流出されながら水タンクの水位ＴＷＬも徐々に低くなる。
【００１６】
図８を参照すると、水タンク９の水位がボールタップの給水開放水位ｈｒまで下降すれば、ボールタップ１７が給水供給を開示し、リム側に給水を供給する。リム給水管２１及びリム水路２２を通じて用水が給水され、リム底部の吐出口２５を通じて用水が噴射され、洗浄ボウル１８に給水を供給し、洗浄ボウルの水位ＢＷＬは再び上昇する。
【００１７】
図９を参照すると、洗浄ボウルの水位ＢＷＬが続いて上昇し、陶器１９の最上端を越して再び溢れ現象が発生する。洗浄ボウルの水位と水タンクの水位との差ｈによって、側面水路２９を通じた少量の逆流によって水タンク９の水位ＴＷＬは徐々に上昇し、正常水位ＷＬに到逹してボールタップ１７が給水を中断するまで溢れ現象は続く。すなわち、水タンクの水位が正常水位に到逹すれば、ボールタップ１７が給水を中断する図６の状態になる。以後、図６乃至図９の状態を繰り返して循環しながら周期的に溢れ現象を発生させる。
【００１８】
このような溢れ現象は、水タンクの水位が底水位ＤＬまで下降しない状態で、ボールタップ１７が水タンク側に給水転換ができなくて、繰り返してリム側に給水を供給して発生する。周期的な溢れ現象下では水蓋１３は常に自体浮力によって開放された状態を維持する。これも水蓋１３は水タンク９の水位が底水位ＤＬまで下降した状態で閉まることができ、周期的な溢れ現象下では水タンクの水位は底水位ＤＬまで下降しない。
【００１９】
本出願人は、上述のワンピース洋風便器のリム洗浄を改善するために、特許文献３及び特許文献４において、水タンク一体型洋風便器のボールタップとリム水路との間に噴射ポンプを介在し、給水管から供給される給水と水タンク内の洗浄水が合された混合洗浄水をリム水路に供給する噴射ポンプを含む洋風便器を開示した。また、特許文献５でも噴射ポンプを利用した洋風便器が開示されている。
【００２０】
図１０は、従来技術の一実施形態に係る噴射ポンプを利用したワンピース洋風便器を示す断面図である。
【００２１】
図１０を参照すると、ボールタップ６０とリム水路２２との間に噴射ポンプ５０が介在されている。ここで、ボールタップ６０は水タンクの水位によって給水を単純開閉する作用をし、水タンク側とリム側への転換機能は噴射ポンプに具備されている。
【００２２】
図１１は、従来技術の他の実施形態に係る噴射ポンプを利用したワンピース洋風便器を示す断面図である。
【００２３】
図１１を参照すると、ボールタップ１７とリム水路２２との間に噴射ポンプ５１が介在されている。ここで、ボールタップ１７は水タンクの水位によって給水を開閉する作用だけではなく、水タンク側とリム側への転換部１６を有する転換ボールタップである。
【００２４】
上述の噴射ポンプを利用した洋風便器でも周期的な溢れ現象が発生する問題点を持っている。噴射ポンプを利用した洋風便器でも水タンク側とリム側への給水転換は水タンクの水位が底水位ＤＬまで下降することによって給水を転換することができることからである。
【先行技術文献】
【特許文献】
【００２５】
【特許文献１】韓国実用新案出願第１９９６−２２８０号
【特許文献２】韓国実用新案出願第１９９８−２８０１号
【特許文献３】韓国登録特許第１０−４８３５１０号
【特許文献４】韓国登録特許第１０−５５５８３４号
【特許文献５】韓国実用新案出願第２００４−３６３４７号
【発明の概要】
【発明が解決しようとする課題】
【００２６】
上述の従来技術の問題点を解決するために、ワンピース洋風便器に汚物が詰まった場合にも、洗浄ボウルの外部に洗浄水が溢れる場合を防止することができる溢れ防止水槽を有する洋風便器を提供することを目的とする。
【課題を解決するための手段】
【００２７】
上述の目的を達成するために、本発明の洋風便器は、内部の水位によって給水を開閉するボールタップを通じて一定量の洗浄水を保有する水タンクと、ボールタップから給水が供給されるリム水路とリム吐出口がリムの内周面に配置され、水タンクとは側面水路によって連結される洗浄ボウルと、水タンクの下部の側面水路排出口を開閉する水蓋と、ボールタップとリム水路との間に配置され、給水と貯蔵された洗浄水とを合した混合洗浄水をリム水路に供給する噴射ポンプと、水タンクの内部で噴射ポンプを内部に装着し、内部から外部に一方向に洗浄水流れのみを開放するチェックバルブとを具備し、水槽の高さが水タンクの正常水位より高い溢れ防止補助水槽を含む。
【００２８】
本発明において、噴射ポンプの噴射ノズルとスロートとの間にはボールが挿入されたボール案内管が所定の長さだけ上に延長され、水位によってボールタップから供給される給水を補助水槽側とリム側に転換することができる。
【００２９】
本発明において、ボールタップには水位によって給水を水タンク側とリム側に転換する転換部が具備されており、ボールタップの水タンク側の供給管及び水位感知浮具は補助水槽内に配置されることができる。
【００３０】
本発明において、ボールタップと噴射ポンプの噴射ノズルとの間を連結する連結ホースから分岐し、定量の給水を供給する水圧調節装置をさらに含むことができる。
【発明の効果】
【００３１】
本発明の洋風便器は、溢れ防止補助水槽を具備し、ワンピース洋風便器に汚物が詰まった場合にも洗浄ボウルの外部に洗浄水が溢れる場合を防止することができる。
【図面の簡単な説明】
【００３２】
【図１】従来技術の一実施形態に係るワンピース洋風便器を示す平面図である。
【図２】従来技術の一実施形態に係るワンピース洋風便器の溢れ現象を説明する断面図である。
【図３】従来技術の一実施形態に係るワンピース洋風便器の溢れ現象を説明する断面図である。
【図４】従来技術の一実施形態に係るワンピース洋風便器の溢れ現象を説明する断面図である。
【図５】従来技術の一実施形態に係るワンピース洋風便器の溢れ現象を説明する断面図である。
【図６】従来技術の一実施形態に係るワンピース洋風便器の溢れ現象を説明する断面図である。
【図７】従来技術の一実施形態に係るワンピース洋風便器の溢れ現象を説明する断面図である。
【図８】従来技術の一実施形態に係るワンピース洋風便器の溢れ現象を説明する断面図である。
【図９】従来技術の一実施形態に係るワンピース洋風便器の溢れ現象を説明する断面図である。
【図１０】従来技術の一実施形態に係る噴射ポンプを利用したワンピース洋風便器を示す断面図である。
【図１１】従来技術の他の実施形態に係る噴射ポンプを利用したワンピース洋風便器を示す断面図である。
【図１２】本発明の一実施形態に係る溢れ防止補助水槽を示す斜視図である。
【図１３】本発明の第１実施形態に係る溢れ防止補助水槽を水タンクの内部に設置した平面図である。
【図１４】本発明の第１実施形態に係るワンピース洋風便器の溢れ防止現象を説明する断面図である。
【図１５】本発明の第１実施形態に係るワンピース洋風便器の溢れ防止現象を説明する断面図である。
【図１６】本発明の第１実施形態に係るワンピース洋風便器の溢れ防止現象を説明する断面図である。
【図１７】本発明の第１実施形態に係るワンピース洋風便器の溢れ防止現象を説明する断面図である。
【図１８】本発明の第１実施形態に係るワンピース洋風便器の溢れ防止現象を説明する断面図である。
【図１９】本発明の第１実施形態に係るワンピース洋風便器の溢れ防止現象を説明する断面図である。
【図２０】本発明の第１実施形態に係るワンピース洋風便器の溢れ防止現象を説明する断面図である。
【図２１】本発明の第２実施形態に係る溢れ防止水槽を水タンクの内部に設置した平面図である。
【図２２】本発明の第２実施形態に係る溢れ防止水槽を水タンクの内部に設置した断面図である。
【発明を実施するための形態】
【００３３】
上述の目的、特徴及び長所は添付の図と係わった次の詳細な説明を通じてより明確になるであろう。以下、添付の図を参照して、本発明に係る望ましい一実施形態を詳細に説明する。本発明は、噴射ポンプを用いるワンピース洋風便器の水タンクの内部に別途の補助水槽を設置し、ワンピース洋風便器に汚物が詰まった場合にも水タンクが底水位まで下降するようにする。これは、噴射ポンプを用いる場合のみにその目的を達成することができ、従来技術の図１及び図２のような噴射ポンプを使用しないワンピース洋風便器ではその目的を達成することができない。
【００３４】
（第１実施形態）
【００３５】
図１２は、本発明の一実施形態に係る溢れ防止補助水槽１７０を示す斜視図である。
【００３６】
図１２を参照すると、溢れ防止補助水槽１７０は、洋風便器の水タンク内に設置される補助水槽として、噴射ポンプを内部に装着し、外部と疎通される開口部１７１と開口部１７１の一方向流れだけ開放する板型チェックバルブ１７２を具備する。溢れ防止補助水槽１７０の高さは水タンクの正常水位より高く、補助水槽の内部から水タンク側に一方向開放だけが可能であり、補助水槽の水位が水タンクの水位より高ければ、開放されて補助水槽の内部の水を水タンク側に送り、水タンク側の水位が高ければ、補助水槽への流入を遮断する機能を果たす。正常の洋風便器作動の中には給水が補助水槽にまず満たされ、開口部１７１と板型チェックバルブ１７２とを経由して、水タンクに洗浄水を貯蔵する。未説明図面符号‘１７３’、‘１７４’は噴射ポンプへの給水引入管及びリム側への出口管を挿入する開口部であり、図面符号‘１７５’は補助水槽１７０を水タンクに設置するための固定ボルトである。
【００３７】
以下、溢れ防止補助水槽を利用した溢れ防止の作動原理を説明する。
【００３８】
図１３及び図１４は、本発明の第１実施形態に係る溢れ防止補助水槽を水タンクの内部に設置した平面図及び断面図である。図１４での断面図は理解の便宜のために、各構成部分を展開した模式図を示す。
【００３９】
図１３及び図１４を参照すると、便器本体陶器１１９は洗浄空間である洗浄ボウル１１８と一体で水タンク１０９が形成されており、水タンク１０９と洗浄ボウル１１８は側面水路１２９によって連結される。水タンク１０９内には給水管１０７から給水が供給され、水タンクの水位によって給水を開閉する単純ボールタップ１６０が配置されている。ボールタップ１６０とリム水路１２２との間に噴射ポンプ１５０が介在されている。水タンク側とリム側への転換機能は噴射ポンプ１５０に具備されている。噴射ポンプ１５０の出口はリム水路１２２に連結される。ここで、水タンク１０９の内部には溢れ防止補助水槽１７０が噴射ポンプ１５０を内部に具備した状態で配置されている。ボールタップ１６０と噴射ポンプの噴射ノズル１５２との間を連結する連結ホース１６１から分岐し、定量の給水を供給する水圧調節装置１５９が配置されることができる。水圧調節装置１５９に対する詳細の説明は特許文献４に開示されているので、その説明を略する。
【００４０】
水タンク１０９の下部には側面水路１２９を開閉する水蓋１１３が配置され、水蓋１１３は連結紐１１４を通じてハンドレバーリンク１１５と連結される。ハンドレバーリンク１１５は水タンクの外部のハンドル１１２と連結され、使用者の操作によって水蓋１１３を開閉する。
【００４１】
洗浄ボウル１１８の上部側面にはリム水路１２２と連結される吐出口１２５が形成されており、下部には汚物を排出する排出口１３０が配置される。リム水路１２２を通じて吐出口１２５は噴射ポンプ１５０に供給される給水を洗浄ボウルの壁面に吐出する。排出口１３０と対向して側面水路１２９と連結されるジェット噴射口１２７が配置される。ジェット噴射口１２７は汚物を強く押し出し、洗浄ボウル１１８に貯蔵された水を吸入して陶器１１９の外に排出させる役割を果たす。
【００４２】
図１４乃至図２０は、本発明の第１実施形態に係るワンピース洋風便器の溢れ防止現象を説明する断面図である。
【００４３】
図１４を参照すると、汚物が洗浄ボウル１１８にある状態で、使用者が洗浄作動を実行する前の断面図である。水タンク１０９の水位ＴＷＬは水タンクに洗浄水が満たされた状態である正常水位ＷＬを維持し、ボールタップ１６０は止水状態である。補助水槽１７０の内部には噴射ポンプ１５０が具備され、噴射ポンプの給水転換用ボール１５１はボール案内管１５３に拘束され、正常水位の表面に浮かんでいる。補助水槽のチェックバルブ１７２は自重によって閉まった状態を維持する。図面符号‘ＤＬ’は底水位として、水タンクの洗浄水が完全に排出されて、水タンク側に給水転換が行われ、水蓋が閉まる水位である。洗浄ボウル１１８の水位ＢＷＬは定常状態を維持する。
【００４４】
図１５を参照すると、汚物を洗浄するために、使用者がハンドル１１２を作動させれば、このハンドル１１２に連結された水蓋１１３が上部に回転し、側面水路１２９を開放するようになる。ハンドル１１２は元状態に復帰するが、水蓋１１３は自体浮力によってオープン状態を維持し、水タンクに貯蔵された洗浄水は側面水路１２９を通じて洗浄ボウル１１８のジェット噴射口１２７に排出され、汚物及び洗浄ボウルの内部の水は陶器の排出口１３０方向に移動する。水タンク１０９の水位がボールタップ１６０の給水開放水位ｈｒまで下降すれば、ボールタップ１６０が給水供給を開始する。この際、補助水槽内部の水位IＷＬが水タンクの水位ＴＷＬより相対的に高くて（ｈｔだけ）、チェックバルブ１７２が開放され、補助水槽の水が水タンク方へ排出され、すぐ両側の水位は同一になる。ボールタップでの給水は連結ホース１６１を経由して補助水路７０の内部の噴射ポンプ１５０のノズル１５２から噴射される。噴射された給水は補助水槽内部の周辺の水を吸入して噴射ポンプのスロート１５５と拡大管１５６とを経由して、陶器のリム水路１２２にリム洗浄水を供給する。リム水路１２２を通じてリム洗浄水が給水され、リム底部の吐出口１２５を通じて洗浄水が噴射されて、陶器の洗浄ボウル１１８の壁面を洗浄する。サイホン作用で汚物とともに洗浄水が排出トラップ１４２に移り、洗浄ボウルの水位ＢＷＬは低くなり、この際、排出される汚物が排出トラップ１４２の内部にかかって詰まる場合が発生することができる。
【００４５】
図１６を参照すると、排出トラップ１４２が詰まった状態で給水が噴射ポンプ１５０で補助水槽１７０の水を吸入して洗浄ボウル１１８に続いて供給され、排出トラップ１４２は汚物の詰まりで少量の排出水のみが排出されるので、洗浄ボウル１１８の水位は持続的に上昇する。洗浄ボウル１１８の水位ＢＷＬが水タンク１０９の水位ＴＷＬより上昇すれば（ｈだけ）、洗浄ボウル１１８の水がジェット噴射口１２７を通じて側面水路１２９を経由して水タンク１０９側に逆流する。この際、排出トラップ１４２の詰まりに関与しない自由状態の汚物の一部が逆流流れに沿ってジェット噴射口１２７側に移動し、ジェット噴射口１２７にかかる現象が発生する。ジェット噴射口１２７にかかった汚物によって洗浄ボウルから水タンク側への逆流量は減少する。この際、水タンクの水位ＴＷＬは徐々に上昇する。
【００４６】
一方、補助水槽１７０の内部水位IＷＬは噴射ポンプ１５０で吸入され、リム側に排出される水量によって水位が続いて下降する。この際、補助水槽１７０の内部水位IＷＬが水タンクの水位ＴＷＬより低くて（ｈｔだけ）、補助水槽のチェックバルブ１７２は閉まる。すなわち、補助水槽の内部水位IＷＬは噴射ポンプの吸入作用による流出だけがあり、補助水槽１７０内部への流入がなくて、続いて下降する。
【００４７】
図１７を参照すると、洗浄ボウル１１８の水位は続いて上昇する一方、補助水槽１７０内部の水位IＷＬは持続的に下降する。補助水槽の水位IＷＬが底水位ＤＬに到逹すれば、ボール１５１がノズルの前端に吸入され、ノズルから噴射される給水を阻んで、噴射ポンプのポンプ作用を中断させ、給水を補助水槽の内部側に転換して、補助水槽１７０に洗浄水を貯蔵する。したがって、リム側への給水が中断され、洗浄ボウル１１８の水位ＢＷＬは上昇を止め、陶器の外部に溢れない。ここで、洗浄ボウルの水位ＢＷＬは水タンク側の水位ＴＷＬより高くて（ｈだけ）、水タンク側への逆流は続き、水タンクの水位ＢＷＬは徐々に上昇する。
【００４８】
図１８を参照すると、洗浄ボウル１１８の水位ＢＷＬは水タンク側への少量の逆流と排出トラップ１４２側への少量の排出水によって徐々に下降し、水タンク側の水位ＴＷＬは逆流によって水位が徐々に上昇する。水タンク側の水位ＴＷＬが正常水位ＷＬに到逹すれば、ボールタップ１６０が給水を遮断する。内部水槽１７０の水位IＷＬはボールタップから供給された給水によって一定水位が上昇されている状態で、ボールタップの給水遮断によって水位上昇が止められ、ボール１５１は拘束力を喪失し、浮力によってボール案内管１５３に沿って水面上に浮び上がる。
【００４９】
図１９を参照すると、洗浄ボウル１１８の水位ＢＷＬは排出トラップ１４２側に少量抜け出る排出水によって続いて下降し、水タンク水位ＴＷＬより低くなる。したがって、水タンクの洗浄水は水蓋１１３が続いて開かれているので、側面水路１２９を経由して徐々に排出され、水タンク水位ＴＷＬは徐々に下降する。
【００５０】
図２０を参照すると、水タンク１０９の水位ＴＷＬがボールタップ１６０の給水開放水位ｈｒまで下降すれば、ボールタップ１６０が噴射ポンプ１５０に給水供給を開示する。ボールタップでの給水は連結ホース１６１を経由して補助水槽１７０の内部の噴射ポンプ１５０のノズル１５２から噴射される。噴射された給水は補助水槽内部の周辺の水を吸入して噴射ポンプのスロート１５５と拡大管１５６とを経由して陶器のリム水路１２２にリム洗浄水を供給する。リム水路１２２を通じてリム洗浄水が給水され、リム底部の吐出口１２５を通じて洗浄水が噴射され、陶器の洗浄ボウル１１８の水位ＢＷＬを上昇させる。一方、内部水槽１７０の水位IＷＬは噴射ポンプの吸入作用で持続的に下降する。
【００５１】
以後の作動は図１７の動作と同一である。
【００５２】
再び図１７を参照すると、洗浄ボウル１１８の水位は続いて上昇する一方、補助水槽１７０内部の水位IＷＬは持続的に下降する。補助水槽の水位IＷＬが底水位ＤＬに到逹すれば、ボール１５１がノズルの前端に吸入され、ノズルから噴射される給水を阻んで噴射ポンプのポンプ作用を中断させ、給水を補助水槽の内部側に転換して補助水槽１７０に洗浄水を貯蔵する。したがって、リム側への給水が中断され、洗浄ボウル１１８の水位ＢＷＬは上昇を止め、陶器の外部に溢れない。ここで、洗浄ボウルの水位ＢＷＬは水タンク側の水位ＴＷＬより高くて（ｈだけ）、水タンク側への逆流は続き、水タンクの水位ＢＷＬは徐々に上昇する。
【００５３】
以後、続いて図１７乃至図２０の状態を繰り返して循環し、陶器外部への洗浄水の溢れ現象は発生しない。
【００５４】
溢れ現象防止は補助水槽内の水位が噴射ポンプの吸入作用によって底水位ＤＬまで下降するので、リム側への給水供給を補助水槽側に転換することによって達成される。
【００５５】
（第２実施形態）
【００５６】
第２実施形態ではボールタップとリム水路との間に噴射ポンプが介在されている。ここで、ボールタップは水タンク水位によって給水を開閉する作用だけではなく、水タンク側とリム側への給水転換機能を有する転換ボールタップである。一方、噴射ポンプは給水転換機能がない。
【００５７】
図２１及び図２２は、本発明の第２実施形態に係る溢れ防止水槽を水タンクの内部に設置した平面図及び断面図である。図２２での断面図は理解の便宜のために各構成部分を展開した模式図を示す。
【００５８】
図２１及び図２２を参照すると、水タンク１０９内には給水管１０７から給水が供給され、水タンクの水位によって給水を開閉し、水タンク側とリム側への転換機能を有する転換ボールタップ１８０が配置されている。ボールタップ１８０とリム水路１２２との間に噴射ポンプ１９５が介在されている。噴射ポンプ１９５の出口はリム水路１２２によって連結される。
【００５９】
ここで、水タンク１０９の内部には溢れ防止補助水槽１９０が噴射ポンプ１９５を内部に具備した状態で装着されている。溢れ防止補助水槽１９０は洋風便器の水タンク内に設置される補助水槽として、噴射ポンプを内部に装着し、外部と疎通される開口部と内部から外部に一方向流れだけ開放する板型チェックバルブ１９２を具備する。溢れ防止補助水槽１９０の高さは水タンクの正常水位より高く、補助水槽の内部から水タンク側に一方向開放だけが可能である。補助水槽の水位が水タンク側より高ければ、チェックバルブ１９２は開放され、補助水槽内部の水を水タンク側に送り、水タンク側の水位が補助水槽の水位より高ければ、補助水槽への流入を遮断する機能を果たす。また、ボールタップ１８０の水位感知浮具１８４と水タンク側給水管１８３が補助水槽１９０の内部に位置する。
【００６０】
第２実施形態に係る溢れ防止水槽を利用した溢れ防止の作動原理は、第１実施形態のように補助水槽内の水位が噴射ポンプの吸入作用によって底水位まで下降するので、水位感知浮具１８４が底水位に下降する時、リム側への給水供給を補助水槽側の内部に位置した水タンク側給水管１８３に転換することによって達成される。このような作用は実質的に第１実施形態とほとんど同一であるので、詳細の説明は略する。第１実施形態との差異はリム側と水タンク側への給水の転換機能を転換ボールタップ１８０が具備しており、転換ボールタップ１８０の転換部１８１からリム側供給管１８２と水タンク側への給水管１８３が分岐され、水位によってリム側または水タンク側に給水を転換する。
【００６１】
また、溢れ防止補助水槽１９０の内部には噴射ポンプ１９５だけでなく、転換ボールタップの水位を感知することができる水位感知浮具１８４と水タンク側給水管１８３が溢れ防止補助水槽の内部に位置するという差異がある。
【００６２】
以上の本発明は上述の図面及び詳細の説明によって限定されるのではなく、特許請求の範囲に記載した本発明の思想及び領域から逸脱しない範囲内で該当の技術分野の当業者が多様に修正及び変更したことも本発明の範囲内に含まれることは勿論である。
【符号の説明】
【００６３】
７、１０７  給水管
９、１０９  水タンク
１８、１１８  洗浄ボウル
２７、１２７  ジェット噴射口
２９、１２９  側面水路
４２、１４２  排出トラップ
５０、５１、１５０、１９５  噴射ポンプ
１７０、１９０  溢れ防止補助水槽
１７１  開口部
１７２、１９２  板型チェックバルブ
【図１】
2010531399.tif 000003
【図２】
2010531399.tif 000004
【図３】
2010531399.tif 000005
【図４】
2010531399.tif 000006
【図５】
2010531399.tif 000007
【図６】
2010531399.tif 000008
【図７】
2010531399.tif 000009
【図８】
2010531399.tif 000010
【図９】
2010531399.tif 000011
【図１０】
2010531399.tif 000012
【図１１】
2010531399.tif 000013
【図１２】
2010531399.tif 000014
【図１３】
2010531399.tif 000015
【図１４】
2010531399.tif 000016
【図１５】
2010531399.tif 000017
【図１６】
2010531399.tif 000018
【図１７】
2010531399.tif 000019
【図１８】
2010531399.tif 000020
【図１９】
2010531399.tif 000021
【図２０】
2010531399.tif 000022
【図２１】
2010531399.tif 000023
【図２２】
2010531399.tif 000024
【国際調査報告】
2010531399.tif 000025
2010531399.tif 000026